(57)【要約】【課題】文鎮本体の構造を簡素にし、かつカード状物を容易に交換可能とした文鎮の提供。【解決手段】透明なガラスにより形成された文鎮本体２と、カード状物Ｓが配置される開口部３ａが形成され、文鎮本体２の下面に接着された底板３と、開口部３ａ内に嵌合される蓋状体とを有する文鎮１である。これにより、底板３に形成された開口部３ａからこの開口部３ａ内にカード状物Ｓを入れた後、蓋状体を開口部３ａ内に嵌合させることにより、文鎮本体２側からカード状物Ｓを視認可能な文鎮１が得られる。一方、カード状物Ｓを取り出す場合は、蓋状体を開口部３ａ内から取り外すことにより、開放された開口部３ａから取り出すことができる。【選択図】図１
2010006013.tif 000002
【特許請求の範囲】
【請求項１】
透明なガラスまたは合成樹脂により形成された文鎮本体と、
カード状物が配置される開口部が形成され、前記文鎮本体の下面に接着された底板と、
前記開口部内に嵌合される蓋状体と
を有する文鎮。
【請求項２】
前記蓋状体と開口部との境界部に切欠部を備えた請求項１記載の文鎮。
【請求項３】
前記開口部内に前記蓋状体が嵌合された状態において、前記底板の下面と前記蓋状体の下面とが同一面である請求項１または２に記載の文鎮。
【請求項４】
前記底板と蓋状体との両方に貼り付けられたシートであって、前記開口部と蓋状体との境界に沿って一部を残して切り込みが形成されたシートを有する請求項３記載の文鎮。
【発明の詳細な説明】
【技術分野】
【０００１】
本発明は、紙や書物などを押さえるための重石として用いられる文鎮（ペーパーウェイト）に関する。
【背景技術】
【０００２】
文鎮は紙や書物などを押さえるための重石として用いられるが、装飾性を有するものも開発されている。例えば、特許文献１に記載の文鎮は、ガラスまたは合成樹脂製の透明な本体部と、本体部の下面に着脱自在に配備される押さえ板とからなり、本体部と押さえ板との間にカード状物の収容が可能な収容部が形成されたものである。押さえ板は木材、合成樹脂材などで形成され、底板とこれを囲む側壁とを一体に備え、上面の開口部が本体部の下面に着脱自在に嵌るようになっている。また、押さえ板の側壁の内面には本体部の係合溝に係脱する係合凸条が一周形成されている。
【０００３】
この文鎮では、切符やテレホンカードなどのカード状物を収容するには、収容したカード状物を押さえ板の底板上に配置した後、本体部の下面へ押さえ板を嵌め、押さえ板の係合凸条を本体部の係合溝に係合して押さえ板を本体部に取り付ける。これにより、収容部に収容されたカード状物は、透明な本体部を介して上方より見ることができる。
【０００４】
また、特許文献２には、レンズ本体の底面に下方に向かって末広型に突出させて付設した引掛用のリング縁片を有するガラスレンズと、このガラスレンズのリング縁片と嵌合する軟質の合成樹脂製の受皿とからなる文鎮が開示されている。この文鎮では、受皿の上部の間隙に写真、図柄または文字などをあしらった図柄を差し込んで載せ、ガラスレンズの下底に差し込んでリング縁片に嵌合させる。
【０００５】
【特許文献１】実開平５−１８８９８号公報
【特許文献２】実開平１−６８８９４号公報
【発明の開示】
【発明が解決しようとする課題】
【０００６】
上記特許文献１，２に記載の文鎮では、押さえ板や受皿を嵌合させて固定するため、ガラスまたは合成樹脂製の透明な本体部に係合溝を形成したり、ガラスレンズ本体の底面に引掛用のリング縁片を形成したりしている。しかしながら、このような複雑な結合構造を採用した場合、文鎮本体の強度が低下して壊れやすくなったり、製造コストが増大したりするという問題がある。
【０００７】
そこで、本発明においては、文鎮本体の構造を簡素にし、かつカード状物を容易に交換可能とした文鎮を提供することを目的とする。
【課題を解決するための手段】
【０００８】
本発明の文鎮は、透明なガラスまたは合成樹脂により形成された文鎮本体と、カード状物が配置される開口部が形成され、文鎮本体の下面に接着された底板と、開口部内に嵌合される蓋状体とを有するものである。本発明によれば、底板に形成された開口部からこの開口部内にカード状物を入れた後、蓋状体を開口部内に嵌合させることにより、文鎮本体側からカード状物を視認可能な文鎮が得られる。一方、カード状物を取り出す場合は、蓋状体を開口部内から取り外すことにより、開放された開口部から取り出すことができる。
【０００９】
また、本発明の文鎮は、蓋状体と開口部との境界部に切欠部を備えるものであることが望ましい。これにより、この切欠部に指や鉤状物などの先端部を差し込み、この先端部を蓋状体の内側に引っ掛けて、蓋状体を開口部内から取り出すことが可能となる。
【００１０】
また、本発明の文鎮は、開口部内に蓋状体が嵌合された状態において、底板の下面と蓋状体の下面とが同一面であることが望ましい。これにより、文鎮の使用状態において、文鎮の底面が平坦面となるので、紙や書物などを押さえる重石として使用しやすく、また、蓋状体および底板に自重が均一に掛かり、蓋状体が開口部内に押さえ付けられるので、蓋状体が開口部内から脱落するのを防止することができる。
【００１１】
また、本発明の文鎮は、底板と蓋状体との両方に貼り付けられたシートであって、開口部と蓋状体との境界に沿って一部を残して切り込みが形成されたシートを有するものであることが望ましい。これにより、シートがヒンジの役割を果たし、蓋状体を容易に開閉することができるとともに、開口部から蓋状体が脱落するのを防止することができる。
【発明の効果】
【００１２】
（１）透明なガラスまたは合成樹脂により形成された文鎮本体と、カード状物が配置される開口部が形成され、文鎮本体の下面に接着された底板と、開口部内に嵌合される蓋状体とを有することにより、文鎮本体の構造を簡素にして、カード状物を容易に交換することが可能な低廉かつ壊れにくい文鎮が得られる。
【００１３】
（２）蓋状体と開口部との境界部に切欠部を備えることにより、蓋状体を開口部内から容易に取り出すことができるので、カード状物をさらに容易に交換することが可能となる。
【００１４】
（３）開口部内に蓋状体が嵌合された状態において、底板の下面と蓋状体の下面とが同一面である構成により、文鎮の使用状態において、文鎮の底面が平坦面となるので、紙や書物などを押さえる重石として使用しやすく、また、蓋状体および底板に自重が均一に掛かり、蓋状体が開口部内に押さえ付けられるので、蓋状体が開口部内から脱落するのを防止することができる。
【００１５】
（４）底板と蓋状体との両方に貼り付けられたシートであって、開口部と蓋状体との境界に沿って一部を残して切り込みが形成されたシートを有する構成により、シートがヒンジの役割を果たし、蓋状体を容易に開閉することができるとともに、開口部から蓋状体が脱落するのを防止することができる。
【発明を実施するための最良の形態】
【００１６】
図１は本発明の実施の形態における文鎮の斜視図、図２は図１の平面図、図３は図２のＡ−Ａ断面図、図４は蓋状体を開いた状態のＡ−Ａ断面図、図５は各部に分解した状態のＡ−Ａ断面図、図６は底板の平面図、図７は緩衝シートの平面図、図８は緩衝シート上に蓋状体を貼り付けた状態を示す斜視図、図９は図８の縦断面図である。
【００１７】
図１から図５に示すように、本発明の実施の形態における文鎮１は、透明なガラスにより形成された文鎮本体２と、文鎮本体２の下面に接着される底板３と、底板３に形成された開口部３ａ内に嵌合される蓋状体４と、底板３および蓋状体４の下面に貼り付けられる緩衝シート５と、開口部３ａ内に配置される写真やイラストなどのシート状物Ｓとから構成される。
【００１８】
文鎮本体２は、円柱状に形成されたものであり、上面および下面それぞれの円周部分に面取り加工が施されているが、これ以外には特に複雑な形状に加工は施されていない。但し、文鎮本体２の下面には、開口部３ａ内に配置されるシート状物Ｓの周囲を装飾するための文字や模様などが、ブラスト加工、レーザ加工、放電加工、切削加工や研削加工などによって施されている。さらに、この文鎮本体２の下面には、印刷により装飾を施すことも可能である。
【００１９】
底板３は、アクリル樹脂などの合成樹脂により形成されている。底板３は、文鎮本体２の下面に接着剤や両面粘着テープなどの接着手段を用いて接着される。底板３の中央には、図６に示すように底板３を貫通した矩形状の開口部３ａが形成されている。蓋状体４は、底板３の開口部３ａの形状に合わせてウレタン樹脂などの合成樹脂により形成されている。蓋状体４は、開口部３ａ内に押し込まれると、開口部３ａの内側面３ｂに接触し、その摩擦力により開口部３ａ内に留まるようになっている。
【００２０】
緩衝シート５は、スエード、布や紙などにより形成されており、その上面には底板３および蓋状体４に貼り付けるための両面粘着テープ（図示せず。）が取り付けられている。なお、緩衝シート５の貼り付けは、接着剤などの他の接着手段を用いても良い。緩衝シート５は底板３の底面の形状に合わせて形成されている。また、緩衝シート５には、図７に示すように、開口部３ａと蓋状体４との境界に沿って一部を残して切り込み５ａが形成されている。蓋状体４は、図８および図９に示すように、緩衝シート５の上側の切り込み５ａにより囲まれた内側部分に貼り付けられている。また、切り込み５ａの外側部分は、底板３に貼り付けられる。
【００２１】
また、蓋状体４および緩衝シート５には、蓋状体４と開口部３ａとの境界部に切欠部６が形成されている。切欠部６は、指や鉤状物などの先端部を差し込み、この先端部を蓋状体４の内側に引っ掛けて、蓋状体４を開口部３ａ内から取り出すためのものである。なお、切欠部６は蓋状体４側ではなく底板３側に設けることも可能であり、蓋状体４と底板３との両方に設けることも可能である。
【００２２】
上記構成の文鎮１では、切欠部６に指や鉤状物などの先端部を差し込み、この先端部を蓋状体４の内側に引っ掛けて、蓋状体４を開口部３ａ内から引き出す。これにより、図４に示すように蓋状体４が緩衝シート５の切り込み５ａのない部分を支点として開き、開口部３ａが開放される。ここで、この開口部３ａ内にシート状物Ｓを、上側を表面として入れ、蓋状体４を開口部３ａ内に押し戻す。これにより、蓋状体４は開口部３ａに嵌合され、図１に示すように文鎮本体２側からシート状物Ｓを視認可能な文鎮１が得られる。
【００２３】
一方、シート状物Ｓを交換する場合は、同様に蓋状体４を開口部３ａ内から引き出して開口部３ａを開放し、開口部３ａ内からシート状物Ｓを取り出して容易に交換することが可能である。特に、この文鎮１では、緩衝シート５が底板３と蓋状体４との両方に貼り付けられているため、ヒンジの役割を果たし、蓋状体４を容易に開閉することができるとともに、開口部３ａから蓋状体４が脱落するのを防止することができる。
【００２４】
また、本実施形態における文鎮１では、開口部３ａ内に蓋状体４が嵌合された状態において、底板３の下面と蓋状体４の下面とが同一面となっている。したがって、これらの底板３および蓋状体４の両方の下面に貼り付けられた緩衝シート５の下面も平坦となっている。これにより、文鎮１の使用状態において、文鎮１の底面が平坦面となるので、紙や書物などを押さえる重石として使用しやすく、また、蓋状体４および底板３に自重が均一に掛かり、蓋状体４が開口部３ａ内に押さえ付けられるので、蓋状体４が開口部３ａ内から脱落することが防止されている。
【００２５】
なお、文鎮本体２は、上記の透明なガラスに代えて透明な合成樹脂により形成しても良い。また、その形状についても上記の円柱状以外に、角柱状や多角柱状などの様々な形状とすることも可能である。
【００２６】
また、底板３の開口部３ａについても矩形状以外の任意な形状とすることが可能である。図１０は円状の開口部７ａを形成した底板７の例を示している。この場合、前述の蓋状体４に代えて、底板７の円状の開口部７ａの形状に合わせて形成された円板状の蓋状体８（図１２参照。）とする。また、図１１に示すように緩衝シート９には、開口部７ａと蓋状体８との境界に沿って一部を残して円弧状の切り込み９ａを形成する。
【００２７】
この場合、図１２に示すように、蓋状体８は緩衝シート９の上側の切り込み９ａにより囲まれた内側部分に貼り付けられる。また、切り込み９ａの外側部分は、底板７に貼り付けられる。また、蓋状体８には緩衝シート９の切り込み９ａの両端９ｂを結ぶ位置に切り込み８ａが設けられており、蓋状体８を開閉する際は、この切り込み８ａの位置が支点となる。
【００２８】
また、本実施形態における文鎮１では、底板３および蓋状体４の厚さを約３ｍｍとしているが、これらの厚さは２ｍｍ〜５ｍｍの範囲とすることが望ましい。２ｍｍ未満では蓋状体４を開口部３ａ内に嵌合した際の摩擦力が不十分となり、文鎮１の使用時に蓋状体４が開きやすくなる。一方、５ｍｍ超では、摩擦力が大きくなりすぎるとともに、緩衝シート５がヒンジとなって蓋状体４を開閉する際に蓋状体４が開口部３ａの内側に引っ掛かりやすくなる。
【産業上の利用可能性】
【００２９】
本発明の文鎮は、紙や書物などを押さえるための重石として有用である。特に、本発明の文鎮は、中に写真やイラストなどのシート状物を収容することにより装飾性を持たせることが可能なものとして好適である。
【図面の簡単な説明】
【００３０】
【図１】本発明の実施の形態における文鎮の斜視図である。
【図２】図１の平面図である。
【図３】図２のＡ−Ａ断面図である。
【図４】蓋状体を開いた状態のＡ−Ａ断面図である。
【図５】各部に分解した状態のＡ−Ａ断面図である。
【図６】底板の平面図である。
【図７】緩衝シートの平面図である。
【図８】緩衝シート上に蓋状体を貼り付けた状態を示す斜視図である。
【図９】図８の縦断面図である。
【図１０】底板の別の例を示す平面図である。
【図１１】緩衝シートの別の例を示す平面図である。
【図１２】緩衝シート上に蓋状体を貼り付けた別の例の状態を示す斜視図である。
【符号の説明】
【００３１】
Ｓ  シート状物
１  文鎮
２  文鎮本体
３，７  底板
３ａ，７ａ  開口部
４，８  蓋状体
５，９  緩衝シート
５ａ，８ａ，９ａ  切り込み
６  切欠部
【図１】
2010006013.tif 000003
【図２】
2010006013.tif 000004
【図３】
2010006013.tif 000005
【図４】
2010006013.tif 000006
【図５】
2010006013.tif 000007
【図６】
2010006013.tif 000008
【図７】
2010006013.tif 000009
【図８】
2010006013.tif 000010
【図９】
2010006013.tif 000011
【図１０】
2010006013.tif 000012
【図１１】
2010006013.tif 000013
【図１２】
2010006013.tif 000014